【手続補正書】
【提出日】平成28年4月18日(2016.4.18)
【手続補正１】
【補正対象書類名】特許請求の範囲
【補正対象項目名】全文
【補正方法】変更
【補正の内容】
【特許請求の範囲】
【請求項１】
電気エネルギーを車両（８１）に供給する構成であって、前記構成は交流電磁場の磁気成分を受信して磁気誘導によって交流電流を生成するようになっている受信装置（８５）を備え、前記受信装置（８５）は少なくとも１本の相線（Ｕ、Ｖ、Ｗ）を備え、各相線（Ｕ、Ｖ、Ｗ）は前記交流電流の１つの相を通すようになっており、
−  線構成が長手方向に互いに反対側にある第１の末端と第２の末端とを備えるように、前記少なくとも１本の相線（Ｕ、Ｖ、Ｗ）は、前記電磁場の磁束線が前記線構成を貫通する磁束線方向を横断して前記長手方向に延在する前記線構成を形成するべく配置され、
前記線構成は先細であって、前記第１の末端および／または前記第２の末端に向かって円錐状または円錐台状であることを特徴とする構成。
【請求項２】
請求項１に記載の構成であって、
−  各相線は少なくとも１つのコイル（Ｃ）を形成し、
−  各コイル（Ｃ）は、前記相線の少なくとも１つの巻きから成り、
−  前記少なくとも１つの巻きは、前記コイルの中心軸線の周りに巻かれ、
前記１つのコイルまたは前記複数のコイル（Ｃ）は、前記線構成であり、かつ、前記コイル構成の前記１つのコイル（Ｃ）の前記中心軸線を横断して、または前記複数のコイル（Ｃ）のそれぞれの中心軸線を横断して、前記長手方向に延在する前記コイル構成を形成するべく配置される、
構成。
【請求項３】
前記コイル構成は、前記長手方向に連続シーケンスとして、および／または互いに重なり合って、配置された前記コイル（Ｃ）のうちの複数を備え、前記コイル構成の前記第１および／または第２の末端にある前記コイル（ＧＣＬ、ＲＣＬ、ＢＣＬ、ＧＣＲ、ＲＣＲ、ＢＣＲ）のうちの少なくとも１つは、前記コイル構成の前記延在部分に沿って当該末端に向かって先細になる、請求項２に記載の構成。
【請求項４】
前記コイル構成の前記複数のコイル（Ｃ）のうちの少なくとも２つは、前記長手方向に連続して配置されて少なくとも１つの境界域を画成する同じ相線のコイルであり、同じ相線の前記少なくとも２つのコイル（Ｃ）の第１および第２のコイルは、場合によっては間隙を介して、または互いに重なり合って、互いに界接し、前記第１のコイル（ＧＣＬ、ＲＣＬ、ＢＣＬ、ＧＣＲ、ＲＣＲ、ＢＣＲ）は前記コイル構成の前記第１の末端または前記第２の末端に配置された末端コイルであり、前記第１のコイルは、その延在部分に沿って前記第１の末端または前記第２の末端に向かって先細になる構成のため、前記第１の末端または第２の末端の末端領域において前記長手方向の単位長当たりカバーする面積が、前記境界域の境界領域に比べ、小さい、請求項３に記載の構成。
【請求項５】
前記車両（８１）が水平な地下道または水平な走路を移動する場合は、前記複数のコイル（Ｃ）のそれぞれの中心軸線が鉛直方向に延びるように、前記構成は前記車両（８１）の底部に配置される、請求項１〜３の何れか１項に記載の構成を備えた車両（８１）。
【請求項６】
電気エネルギーを車両（８１）に供給する構成であって、前記構成は、対応する受信装置（８５）において磁気誘導によって交流電流を生成するための交流電磁場を発生させるようになっている発生装置を備え、前記発生装置は少なくとも１本の相線（Ｕ、Ｖ、Ｗ）を備え、各相線（Ｕ、Ｖ、Ｗ）は交流電流の１つの相を通すようになっており、
−  線構成が長手方向に互いに反対側にある第１の末端と第２の末端とを備えるように、前記少なくとも１本の相線（Ｕ、Ｖ、Ｗ）は、前記電磁場の磁束線が前記線構成を貫通する磁束線方向を横断して前記長手方向に延在する前記線構成を形成するべく配置され、
前記線構成は先細であって、前記第１の末端および／または前記第２の末端に向かって円錐状または円錐台状であることを特徴とする構成。
【請求項７】
前記線構成の少なくとも１本の相線（Ｕ、Ｖ、Ｗ）は前記長手方向に蛇行し、この相線（Ｕ、Ｖ、Ｗ）は、前記長手方向を横断する方向に延在する複数の第１区間（１）と、何れの場合も、２つの第１区間（１）同士を接続する複数の第２区間（２）とを備え、前記複数の第２区間（２）はほぼ前記長手方向に延在し、前記複数の第１区間（１）のそれぞれの長さが前記線構成の前記延在部分に沿って前記第１の末端に向かって、および／または前記第２の末端に向かって、漸減する、請求項６に記載の構成。
【請求項８】
前記構成は、前記長手方向に連続シーケンスとして、および／または互いに重なり合って、配置された複数のコイル（Ｃ）を備えたコイル構成であり、前記コイル構成の前記第１の末端および前記第２の末端にあるコイル（ＧＣＬ、ＲＣＬ、ＢＣＬ、ＧＣＲ、ＲＣＲ、ＢＣＲ）のうちの少なくとも１つは、前記コイル構成の前記延在部分に沿って前記コイル構成の当該末端に向けて先細になる、請求項６に記載の構成。
【請求項９】
前記コイル構成の前記複数のコイル（Ｃ）のうちの少なくとも２つは、前記長手方向に連続して配置されて少なくとも１つの境界域を画成する同じ相線のコイルであり、前記同じ相線の前記少なくとも２つのコイル（Ｃ）の第１および第２のコイルは、場合によっては間隙を介して、または互いに重なり合って、互いに界接し、前記第１のコイル（ＧＣＬ、ＲＣＬ、ＢＣＬ、ＧＣＲ、ＲＣＲ、ＢＣＲ）は前記コイル構成の前記第１の末端または前記第２の末端に配置された末端コイルであり、前記第１のコイルは、その延在部分に沿って前記第１の末端に向かって、または前記第２の末端に向かって、先細になる形状のため、前記第１のコイルが前記第１の末端または第２の末端の末端領域において前記長手方向の単位長当たりにカバーする面積は、前記境界域の境界領域に比べ、小さい、請求項８に記載の構成。
【請求項１０】
電気エネルギーを車両（８１）に供給する構成の製造方法であって、稼働中に交流電磁場の磁気成分を受信して磁気誘導によって交流電流を生成するように前記構成の受信装置（８５）が製造され、前記受信装置（８５）は少なくとも１本の相線（Ｕ、Ｖ、Ｗ）を備え、各相線（Ｕ、Ｖ、Ｗ）は稼働中に前記交流電流の１つの相を通すようになっており、
−  線構成が長手方向に互いに反対側にある第１の末端と第２の末端とを備えるように、前記少なくとも１本の相線（Ｕ、Ｖ、Ｗ）は、前記電磁場の磁束線が前記線構成を貫通する磁束線方向を横断して前記長手方向に延在する前記線構成を形成するべく配置され、
先細であって、前記第１の末端および／または前記第２の末端に向かって円錐状または円錐台状になるように、前記線構成は形成されることを特徴とする方法。
【請求項１１】
請求項１０に記載の方法であって、
−  少なくとも１つのコイル（Ｃ）が各相線によって形成され、
−  各コイル（Ｃ）は前記相線の少なくとも１つの巻きによって形成され、
−  前記少なくとも１つの巻きは、前記コイルの中心軸線の周りに巻かれ、
前記１つのコイルまたは前記複数のコイル（Ｃ）は、前記線構成であり、かつ、前記コイル構成の前記１つのコイル（Ｃ）の中心軸線を横断して、または前記複数のコイル（Ｃ）のそれぞれの軸線を横断して、前記長手方向に延在する前記コイル構成を形成するべく配置される、
方法。
【請求項１２】
前記コイル構成は、前記長手方向に連続シーケンスとして、および／または互いに重なり合って、配置された前記コイル（Ｃ）のうちの複数によって形成され、前記コイル構成の前記第１および／または第２の末端にある前記コイル（ＧＣＬ、ＲＣＬ、ＢＣＬ、ＧＣＲ、ＲＣＲ、ＢＣＲ）のうちの少なくとも１つは、前記コイル構成の前記延在部分に沿って当該末端に向かって先細になる、請求項１１に記載の方法。
【請求項１３】
車両（８１）の製造方法であって、前記車両（８１）が水平な地下道または水平な走路を移動する場合は、前記複数のコイル（Ｃ）のそれぞれの中心軸線が鉛直方向に延びるように、請求項１１または１２に記載の方法が実施され、前記線構成が前記車両（８１）の底部に配置される方法。
【請求項１４】
電気エネルギーを車両（８１）に供給する構成の製造方法であって、対応する受信装置（８５）において磁気誘導によって交流電流を生成するための交流電磁場を稼働中に発生させるように前記構成の発生装置が製造され、前記発生装置（８５）用に少なくとも１本の相線（Ｕ、Ｖ、Ｗ）が設けられ、各相線（Ｕ、Ｖ、Ｗ）は稼働中に交流電流の１つの相を通すようになっており、
−  線構成が第１の末端と第２の末端とを備え、前記両末端が前記線構成の長手方向の両末端に配置されるように、前記少なくとも１本の相線（Ｕ、Ｖ、Ｗ）は、稼働中に前記電磁場の磁束線が前記線構成を貫通する磁束線方向を横断して前記長手方向に延在する前記線構成を形成するべく配置され、
先細であって、前記第１の末端および／または前記第２の末端に向かって円錐状または円錐台状になるように前記線構成は形成されることを特徴とする方法。
【請求項１５】
前記線構成の少なくとも１本の相線（Ｕ、Ｖ、Ｗ）が前記長手方向を横断する方向に延在する複数の第１区間（１）と、何れの場合も、２つの第１区間同士を接続する、ほぼ前記長手方向に延在する複数の第２区間（２）とを備えるように、前記線構成の前記少なくとも１本の相線（Ｕ、Ｖ、Ｗ）は前記長手方向に蛇行するべく配置され、前記複数の第１区間のそれぞれの長さは、前記線構成の前記延在部分に沿って前記第１の末端に向かって、および／または前記第２の末端に向かって、漸減する、請求項１４に記載の方法。